(57)【特許請求の範囲】
【請求項１】
太陽電池モジュールで発電された電力を取り出す出力線が接続される３つ以上の端子板と、
前記３つ以上の端子板を収容する収容部を有するボックス本体と、を備え、
前記ボックス本体は、前記太陽電池モジュールに対向する面に形成され、且つ、前記３つ以上の端子板の夫々に対応した前記出力線が挿通される導入孔を備え、
前記３つ以上の端子板は、同極性である少なくとも２つの第１端子板と、前記第１端子板と絶縁され、且つ、前記第１端子板とは極性が異なる少なくとも１つの第２端子板とを有し、
２つの前記第１端子板は、２つの前記第１端子板の間に並設された前記第２端子板に対して前記収容部の底壁側に配設される接続部を介して電気的に接続され、
前記ボックス本体と一体形成され、前記太陽電池モジュールに対向する面に沿って前記第２端子板と前記接続部との間に介在する絶縁部を有する端子ボックス。
【請求項２】
前記導入孔は、前記太陽電池モジュールに対向する面において前記３つ以上の端子板の占有領域の外側に形成されている請求項１に記載の端子ボックス。
【請求項３】
２つの前記第１端子板と前記接続部とが一体形成されている請求項１又は２に記載の端子ボックス。
【請求項４】
電力を取り出す出力線を縁部に設け、当該縁部に請求項１〜３のいずれか一項に記載の端子ボックスが接続された太陽電池モジュール。
【発明の詳細な説明】
【技術分野】
【０００１】
本発明は、端子ボックス及び端子ボックスが接続された太陽電池モジュールに関する。
【背景技術】
【０００２】
太陽光発電システムは、家屋の屋根上に敷設した複数の太陽電池モジュールにおいて発電した直流電力をパワーコンディショナ（インバータ）で交流電力に変換し各電器製品に供給する。複数の太陽電池モジュールは、各太陽電池モジュールの裏面に配置された端子ボックスを介して、外部ケーブルで直列に接続される。
【０００３】
一般に端子ボックスは、上面開口のボックス本体内に配設された複数の端子板に、太陽電池モジュールのプラス出力線及びマイナス出力線並びに出力ケーブルを接続し、その端子板間にバイパスダイオードを設けたものである。
【０００４】
特許文献１に示されるように、３つの端子板が並設された端子ボックスが存在する。この場合には、例えば正極の第１端子板が２つと負極の第２端子板が１つの組み合わせになる。２つの第１端子板が隣接する場合には両者の接続は容易である。しかし、２つの第１端子板の間に第２端子板が配置される場合には、２つの第１端子板は第２端子板を迂回して接続される。
【０００５】
特許文献２には、端子ボックスに複数の配線パターンを有する太陽電池モジュールが示されている。負極のケーブルに接続される２つの配線パターンの間に正極ケーブルに接続される１つの配線パターンが配置されており、負極用の２つの配線パターンはジャンパー線によって正極用の配線パターンの上方で接続される。
【先行技術文献】
【特許文献】
【０００６】
【特許文献１】特許第３６５６３９１号公報
【特許文献２】特開２００１−３０８３６１号公報
【発明の概要】
【発明が解決しようとする課題】
【０００７】
端子ボックスにおいて、太陽電池モジュールに設けられる出力線と端子板とが接続される。出力線は通常、端子板の上面部に載置されて接続される。このため、特許文献２のように、同じ極性の２枚の第１端子板を異なる極性の第２端子板の上方において接続した場合には、第２端子板に接続される出力線と、２つの第１端子板の接続部分とが接触し、第１端子板と第２端子板とが短絡するおそれがある。
【０００８】
本発明の実施形態においては、極性の異なる端子板の両側に配置された同極性の端子板どうしの良好な接続を可能にとともに、異極性の端子板との短絡を確実に防止できる端子ボックスを提供する。
【課題を解決するための手段】
【０００９】
本発明に係る端子ボックスの実施形態の１つは、太陽電池モジュールで発電された電力を取り出す出力線が接続される３つ以上の端子板と、
前記３つ以上の端子板を収容する収容部を有するボックス本体と、を備え、
前記ボックス本体は、前記太陽電池モジュールに対向する面に形成され、且つ、前記３つ以上の端子板の夫々に対応した前記出力線が挿通される導入孔を備え、
前記３つ以上の端子板は、同極性である少なくとも２つの第１端子板と、前記第１端子板と絶縁され、且つ、前記第１端子板とは極性が異なる少なくとも１つの第２端子板とを有し、
２つの前記第１端子板は、２つの前記第１端子板の間に並設された前記第２端子板に対して前記収容部の底壁側に配設される接続部を介して電気的に接続され、
前記ボックス本体と一体形成され、前記太陽電池モジュールに対向する面に沿って前記第２端子板と前記接続部との間に介在する絶縁部を有する。
【００１０】
太陽電池モジュールの出力線と端子ボックスに収容される端子板との接続は通常、端子板の表面側において行なわれる。一方、本構成によれば、端子ボックスに備えられた３つ以上の端子板のうち、同極性の２つの第１端子板は異なる極性の第２端子板に対して収容部の底壁側に配設される接続部を介して接続されている。これにより、同じ極性の端子板どうしが例えばボックス本体の側壁に沿って接続される構成とは異なり、出力線が収容部に導入される際に接続部は妨げにならない。接続部は、第２端子板の表面側で接続される出力線との接触が確実に回避された状態で第１端子板に接続される。また、第１端子板どうしの接続部は第２端子板に対して収容部の底壁側に位置することで、太陽電池モジュールに対する端子ボックスの実装面積を小さくできるため、太陽電池モジュールの発電効率を高めることができる。
また、本構成によれば、異なる極性の第２端子板と接続部との間に絶縁部が介在する。これにより、第２端子板と第１端子板の接続部との絶縁性が向上する。
【００１１】
本発明に係る端子ボックスの実施形態の１つにおいては、前記導入孔は、前記太陽電池モジュールに対向する面において前記３つ以上の端子板の占有領域の外側に形成されている。
【００１２】
太陽電池モジュールに対向する面において、３つ以上の端子板の占有領域の範囲内に導入孔が形成されている場合には、導入孔から挿入された出力線は第２端子板の裏面側に位置することがある。このため、同極性の第１端子板どうしを接続する接続部は、導入孔を避ける位置に設ける必要があることから、接続部を配置する領域が制限される。
一方、本構成のように、導入孔は、太陽電池本体に対向する面において３つ以上の端子板の占有領域の外側に形成されていると、接続部は導入孔の位置に関係なく配置できるため、接続部を配置する上で自由度が高まる。
【００１３】
【００１４】
【００１５】
本発明に係る端子ボックスの実施形態の１つにおいては、２つの前記第１端子板と前記接続部とが一体形成されている。
【００１６】
本構成の如く、２つの第１端子板と接続部とが一体形成されると、２つの第１端子板と接続部とを接続するための構成と不要となるため、２つの第１端子板の接続状態を簡単に実現することができる。また、端子ボックスの部品点数を少なくすることもできる。
【００１７】
本発明に係る太陽電池モジュールの実施形態の１つは、電力を取り出す出力線を縁部に設け、当該縁部に上記構成の端子ボックスが接続される。
【００１８】
太陽電池モジュールの縁部に設けられた出力線に接続される端子ボックスでは、出力線の導入孔がボックス本体の端部に形成される。一方、同極性の第１端子板の接続部は異なる極性の第２端子板の裏面側に配置されている。ボックス本体の端部から導入される出力線に対し、第１端子板の接続部は第２端子板の領域内において簡単に離間させることができるため、異なる極性の導電体とは接触しない良好な位置に接続部が配置された状態で２つの第１端子板を接続することができる。
また、端子ボックスにおいて第１端子板の接続部が第２端子板の裏面側に配置されることで、端子板の収容部が太陽電池モジュールに沿う方向に拡張されないため、端子ボックスの小型化が可能になる。
【図面の簡単な説明】
【００１９】
【図１】本実施形態に係る端子ボックスの斜視図である。
【図２】本実施形態に係る端子ボックスの裏側を示す斜視図である。
【図３】収容部から端子板等を取り外した状態での端子ボックスの構造を表す分解斜視図である。
【図４】端子ボックスの天板を取り外した状態を示す斜視図である。
【図５】図１のＶ−Ｖ矢視断面図である。
【図６】図１のＶＩ−ＶＩ矢視断面図である。
【図７】出力線が端子板に接続される手順を示す断面図である。
【図８】出力線が端子板に接続される手順を示す断面図である。
【図９】出力線が端子板に接続された状態を示す斜視図である。
【図１０】太陽電池モジュールに取付けられた端子ボックスの側面図である。
【図１１】別実施形態の端子板と接続部とを示す図である。
【発明を実施するための形態】
【００２０】
１．端子ボックスの構造
以下に図面を用いて本発明に係る端子ボックスの実施形態を説明する。図１〜図６に示すように、端子ボックスは、ボックス本体１００と、蓋体７００と、ボックス本体１００の内部に取り付けられた３枚の端子板２００と、ダイオード４００と、出力ケーブル５００とを備えている。ボックス本体１００と蓋体７００は樹脂等の絶縁体からなり、端子板２００は銅合金等の金属からなる。ボックス本体１００は、上方が開口した略箱状に形成されている。ボックス本体１００の上方の開口は蓋体７００により閉塞することができる。なお、以後の説明で、３枚の端子板２００を区別する必要があるときには、同じ極性の２つ端子板を第１端子板２０１，２０３と称し、第１端子板２０１，２０３とは極性の異なる端子板を第２端子板２０２と称する。
【００２１】
ボックス本体１００は、収容部１０２とケーブル保持部１３０とを備えている。ケーブル保持部１３０には２つの貫通孔（不図示）が形成されている。２つの貫通孔には正極側と負極側の２本の出力ケーブル５００がそれぞれ挿入され、ケーブル保持金具（不図示）によってボックス本体１００に対して固定されている。以下の説明では、ボックス本体１００でケーブル保持部１３０がある側を後ろ、後ろに対向する側を前、開口された側を上、上に対向する側を下とする。また、前後方向及び上下方向に直交する方向（端子板２００の配列方向）を左右と称する。
【００２２】
収容部１０２は、底壁１１０と底壁１１０の周縁から立設され三方向を囲む側壁１２０とを備えている。底壁１１０は太陽電池モジュールに対向する面に設けられている。底壁１１０と、側壁１２０と、ケーブル保持部１３０の前方側の端壁とによって、収容空間１４０（空間の一例）が規定される。これにより、収容部１０２は、上方が開口する略箱状に構成される。収容空間１４０の内部には、３枚の端子板２００とダイオード４００が収容されている。太陽電池モジュール１０（図７参照）には発電された電力を取り出す出力線６００が設けられている。端子板２００に出力線６００と出力ケーブル５００とが電気的に接続されている。これにより、太陽電池モジュール１０で発電された電力が端子板２００を介して出力ケーブル５００から出力される。なお、端子板２００の構造については後述する。出力線６００は、図７〜図９に示すように、帯状の金属端子である。
【００２３】
図３及び図４に示すように、底壁１１０の上面からは複数の凸部１１６と爪部１１８が形成されており、端子板２００は、凸部１１６によって支持され、爪部１１８で固定されている。すなわち、端子板２００は底壁１１０の上面から凸部１１６の高さの分だけ離間して載置されている。
【００２４】
図１に示すように、底壁１１０には、前方及び左右の側壁１２０から外方に延出するフランジ部１５０が形成されている。前方のフランジ部１５１には後述する案内部１７０が設けられている。左右のフランジ部１５２は、側壁１２０の前後方向の中間部分に設けられている。フランジ部１５２の強度を向上するために、左右方向に延びるリブ１６０がフランジ部１５２の前方、中央、後方に夫々形成されている。また、左右の側壁１２０の上端部付近には、蓋体７００のための係止孔１２２がそれぞれ２つずつ形成されている。
【００２５】
図１に示すように、蓋体７００は、収容部１０２の上方の開口を塞ぐ、平板状の部材である。蓋体７００の形状は収容部１０２の平面視形状に適合しており、本実施形態では略矩形状となっている。本実施形態の端子ボックスでは、蓋体７００が端子ボックスの上壁を構成している。
【００２６】
蓋体７００の左右側の側面には、側方に突出する係止爪７０２がそれぞれ２つずつ形成されている。係止爪７０２は側壁１２０に形成された係止孔１２２に嵌入する。これにより、ボックス本体１００に対して蓋体７００が係止固定される。
【００２７】
収容部１０２において左右方向に並設される３つの端子板２００のうち、両端に位置する２つの第１端子板２０１，２０３はいずれも正極の端子板２００であり、中央に位置する第２端子板２０２は負極の端子板２００である。第１端子板２０１，２０３と第２端子板２０２とは絶縁されている。第１端子板２０１，２０３は、後述する接続部２１０を介して導通している。第１端子板２０１に正極側の出力ケーブル５００が接続され、第２端子板２０２には負極側の出力ケーブル５００が接続されている。第１端子板２０３には正極側の出力ケーブル５００との接続部は設けられていない。
【００２８】
図３に示すように、端子板２００は、載置部２２０、開口２３０、回動保持部２４０を備え、第１端子板２０１及び第２端子板２０２は更に、ダイオード接続部２５０、ケーブル接続部２６０を備える。載置部２２０は所定の面積を有する平坦な面であり、ここに出力線６００の先端が載置されて、端子板２００との間で電気的な接続が確保される。
【００２９】
２つの第１端子板２０１，２０３は接続部２１０を介して電気的に接続されている。接続部２１０は、接続部本体２１１と立ち上り部２１２とを備える。
接続部本体２１１は矩形の平板であり、接続部本体２１１の左右方向の両端に立ち上り部２１２が夫々立設されている。立ち上り部２１２の上端に２つの第１端子板２０１，２０３が連結されている。本実施形態では、２つの第１端子板２０１，２０３と接続部２１０とが一体形成されている。
【００３０】
図２及び図４に示すように、底壁１１０には、接続部本体２１１が挿入される開口１１３が形成されている。底壁１１０のうち、第２端子板２０２の下方には開口１１３の後部を覆う矩形状の閉塞体１１１（絶縁部の一例）が配設されている。閉塞体１１１は、ボックス本体１００の底壁１１０と一体形成されている。閉塞体１１１は開口１１３の左右両側を開放した状態で配置されており、閉塞体１１１の左右両側に隣接する溝部１１４が形成されている。閉塞体１１１と開口１１３とによって底壁１１０の裏面側には凹部１１５が形成される。
【００３１】
２つの第１端子板２０１，２０３と一体形成されている接続部本体２１１は、収容空間１４０から開口１１３に挿入される。その後、立ち上り部２１２を溝部１１４に案内して接続部本体２１１が底壁１１０に沿って後方に移動することで、接続部本体２１１は凹部１１５に配置される。第１端子板２０１，２０３は凸部１１６の上に載置されている。その後、第２端子板２０２を第１端子板２０１，２０３の間の凸部１１６の上に載置する。
接続部本体２１１は閉塞体１１１を挟んで第２端子板２０２の裏側に配置される。すなわち、閉塞体１１１は、底壁１１０に沿って第２端子板２０２と接続部本体２１１との間に介在する。
【００３２】
これにより、同じ極性の端子板２０１，２０３どうしが例えばボックス本体１００の側壁１２０に沿って接続される構成とは異なり、出力線６００が収容部１０２に導入される際に接続部２１０は妨げにならない。接続部２１０とは、負極の第２端子板２０２の表面側で接続される出力線６００との接触が確実に回避された状態で正極の第１端子板２０１，２０３に接続される。また、第１端子板２０１，２０３どうしの接続部２１０は第２端子板の裏面側に位置することで、太陽電池モジュールに対する端子ボックスの実装面積を小さくできるため、太陽電池モジュールの発電効率を高めることができる。
【００３３】
第２端子板２０２と接続部本体２１１との間には閉塞体１１１が介在する。このため、負極側の第２端子板２０２と正極側の接続部本体２１１との絶縁性が向上する。また、接続部本体２１１は、凹部１１５内に配置され、底壁１１０の裏面側から突出しないよう構成されている。したがって、太陽電池モジュールに底壁１１０を沿わせた状態で端子ボックスを取付けることができる。
【００３４】
開口２３０の後方には、回動保持部２４０が設けられている。出力線６００の先端部が開口２３０の上方に載置された後、回動保持部２４０が開口２３０に向けて折り込まれることで出力線６００が固定される。
【００３５】
図３及び図４に示すように、回動保持部２４０は、前後方向に延在する２本のブリッジによって支持部分２４２が形成されている。支持部分２４２より前方には、支持部分２４２を支点にして上下方向に揺動可能であり、平坦な面を有する揺動部分２４１が形成されている。すなわち、回動保持部２４０は、支持部分２４２を固定端とする片持ち梁状である。これにより、支持部分２４２を支点として揺動部分２４１を変位させることができる。揺動部分２４１は、初期状態においては、開口２３０が開放されるよう、支持部分２４２を支点にして載置部２２０に対して上方へ傾斜している。揺動部分２４１と支持部分２４２とが不連続で繋がるような形状、例えば、揺動部分２４１の外形が矩形状で、そのうちの一辺から支持部分２４２が延在している形状であってもよい。また、揺動部分２４１の外形が円状であってもよい。
【００３６】
本実施形態においては、開口２３０は矩形状であるが、例えば円状であってもよい。揺動部分２４１の外形や開口２３０の形状は任意の形状をとることができる。
【００３７】
回動保持部２４０の後方には、ダイオード接続部２５０が形成されている。ダイオード接続部２５０と後述するケーブル接続部２６０は第１端子板２０１と第２端子板２０２にのみ形成されており、第１端子板２０３には形成されていない。ダイオード接続部２５０は左右方向に向けて開いたスリットを有しており、このスリットに左右方向に延びるダイオード４００の端子４０２（図３参照）を圧入する。これにより、ダイオード４００と第１端子板２０１及び第２端子板２０２との電気的接続を確保しつつダイオード４００を保持している。
【００３８】
このダイオード４００はバイパスダイオードであって、任意の太陽電池モジュールが日陰に入る等の理由によって発電ができなくなったときに、その太陽電池モジュールをバイパスして電流を流す機能を有している。これによって、発電できない太陽電池モジュールが電気的負荷となってシステム全体の発電効率が低下することを防止している。
【００３９】
ケーブル接続部２６０は、端子板２００を左右方向に沿って切断したときの断面がＵ字状を有しており、この部分に出力ケーブル５００の芯線５０２を載置する。そしてＵ字状の部分で芯線５０２を包んでかしめることにより、端子板２００と出力ケーブル５００との間の電気的接続を確保している。
【００４０】
図２に示すように、ボックス本体１００の前方のフランジ部１５１には矩形状のタブ導入孔１１２が３つ形成されている。３つのタブ導入孔１１２は貫通孔であって、左右方向に並設されている。図２及び図６に示すように、タブ導入孔１１２は、太陽電池モジュールに対向する面において収容部１０２の外側に形成された部分に形成されている。なお、タブ導入孔１１２は一部が収容部１０２の内側に形成されていてもよい。
【００４１】
図６〜図８に示されるように、タブ導入孔１１２に対向する側壁１２０の側には、タブ導入孔１１２に挿入される出力線６００が端子板２００に向かうように案内する案内部１７０が形成されている。案内部１７０は、タブ導入孔１１２と前側の側壁１２０に形成される開口１２１との間に設けられており、ボックス本体１００の外部と収容空間１４０とを連通させている。案内部１７０は、タブ導入孔１１２に対向する案内面１７１と、案内面１７１の両側の側部１７２（図１参照）とで構成されている。これにより、タブ導入孔１１２に挿通される出力線６００は案内部１７０を介して収容空間１４０に導入される。
なお、タブ導入孔１１２は本願発明の導入孔の一例である。
【００４２】
ここで、案内面１７１は、端子板２００に近づくにつれてタブ導入孔１１２から離間する方向に傾斜する傾斜部１７３を有する。傾斜部１７３は案内面１７１の少なくとも一部に存在する。タブ導入孔１１２から導入された出力線６００は、傾斜部１７３に当接することで緩やかに屈曲し端子板２００に向けられて案内される。
【００４３】
案内面１７１は、側壁１２０の一部が収容部１０２の外側に突出して形成されている。
こうして、案内面１７１が収容部１０２の外側に位置することで、収容空間１４０に案内面１７１のためのスペースが不要となる。これにより、収容部１０２を小型化することができ、収容部１０２に注入されるポッティング剤の使用量を抑制することができる。
【００４４】
案内面１７１は、側壁１２０の頂部Ｔよりも低い位置に設けられている。端子ボックスは、例えば、図７、図８及び図１０に示されるように、出力線６００を縁部１１に設けた太陽電池モジュール１０に接続される。太陽電池モジュール１０を取扱う際に、太陽電池モジュール１０の縁部１１に接続される端子ボックスのボックス本体１００は、特にその上方向の端部が他物と接触して衝撃を受け易い。
【００４５】
しかし、本実施形態のように、案内面１７１が側壁１２０の頂部Ｔよりも低い位置に設けられることで、図１０に示されるように、太陽電池モジュール１０の縁部１１において端子ボックスの端部である案内部１７０の上方向への突出量を小さくすることができる。
これにより、端子ボックスの案内部１７０と他物とが衝突し難くなる。また、案内面１７１とタブ導入孔１１２との間の領域の容積は小さくなるため、ボックス本体１００の収容部１０２に注入されるポッティング剤の量を低減することができる。
【００４６】
２．出力線の接続手順
次に、このボックス本体１００内の端子板２００に太陽電池モジュール１０の出力線６００を接続する手順について図面を用いて説明する。
【００４７】
出力線６００を端子板２００に接続する際には、まず、回動保持部２４０を図７で示す第２端子板２０２のような開放姿勢にした状態で、出力線６００をタブ導入孔１１２から挿入する。出力線６００は案内面１７１に当接し、それに沿って屈曲されることで収容部１０２の外側から収容空間１４０に案内される。そして、出力線６００の先端部分を端子板２００の開口２３０の上方に位置させる（図８）。
【００４８】
次に、マイナスドライバ等の任意の工具、又は、治具により、支持部分２４２を支点として回動保持部２４０の揺動部分２４１を揺動させて、下方、すなわち、開口２３０が閉じる方向に移動させる。すなわち、回動保持部２４０は開放姿勢から固定姿勢側に移動する。回動保持部２４０が固定姿勢になると、出力線６００が端子板２００の開口２３０と回動保持部２４０との間で挟持固定される。これにより、出力線６００が端子板２００に電気的に接続される。
【００４９】
このように、収容部１０２の外側のタブ導入孔１１２から案内部１７０に挿入された出力線６００は、端子ボックスに備えられた案内面１７１によって端子板２００に向けて案内される。これにより、端子板２００への出力線６００の組付け作業が簡易になる。また、案内面１７１の一部は端子板２００に近づくにつれてタブ導入孔１１２から離間する方向に傾斜しているので、案内面１７１に当接する出力線６００は緩やかに端子板２００に向かって屈曲することとなり、出力線６００にストレスを与えることなく端子板２００に向けることができる。
【００５０】
〔別実施形態〕
（１）上記の実施形態では、接続部本体２１１と第２端子板２０２との間に底壁１１０としての閉塞体１１１が介在する例を示したが、接続部本体２１１と第２端子板２０２との間に底壁１１０が介在しない構成であってもよい。
【００５１】
（２）上記の実施形態では、２つの第１端子板２０１，２０３と接続部２１０とを一体形成する例を示したが、接続部２１０は２つの第１端子板２０１，２０３のうちの一方と一体形成してもよいし、図１１に示すように、第１端子板２０１，２０３とは別の部材で構成してもよい。この場合は、例えば図１１に示すように、立ち上り部２１２及び第１端子板２０１，２０３に設けた係合部２１３（例えば係合凸部）と被係合部２０５（例えば係合孔部）によって両者を連結する。第１端子板２０１，２０３と別部材で構成される接続部２１０は、例えば、底壁１１０に溝部１１４のみを設けて、第１端子板２０１，２０３を凸部１１６に固定した後、底壁１１０の裏面側から溝部１１４を介して第１端子板２０１，２０３に連結してもよい。
【００５２】
（３）上記の実施形態では、２つの第１端子板２０１，２０３の接続部２１０が平板状の接続部本体２１１と立ち上り部２１２とを備える例を示したが、接続部２１０は２つの第１端子板２０１，２０３とを導通させる構成であれば他の形状であってもよい。
【産業上の利用可能性】
【００５３】
本発明は、太陽電池モジュールで発電された電力を取り出す出力線に接続される端子ボックスに利用することが可能である。
【符号の説明】
【００５４】
１０            太陽電池モジュール
１１            縁部
１００          ボックス本体
１０２          収容部
１１０          底壁
１１１          閉塞体（絶縁部）
１１２          タブ導入孔（導入孔）
１２０          側壁
１４０          収容空間（空間）
１５０          フランジ
１７０          案内部
１７１          案内面
２００          端子板
２０１，２０３  第１端子板
２０２          第２端子板
２１０          接続部
２１１          接続部本体
２１２          立ち上り部
２２０          載置部（接続部）
２３０          開口
６００          出力線
Ｔ              頂部
【図１】
0006472318.tif 000002
【図２】
0006472318.tif 000003
【図３】
0006472318.tif 000004
【図４】
0006472318.tif 000005
【図５】
0006472318.tif 000006
【図６】
0006472318.tif 000007
【図７】
0006472318.tif 000008
【図８】
0006472318.tif 000009
【図９】
0006472318.tif 000010
【図１０】
0006472318.tif 000011
【図１１】
0006472318.tif 000012